(57)【要約】【課題】未承認相手からの通信を防止して、移動端末保持者の保護を可能とするデジタル移動通信システム、デジタル通信交換方法、及び通信交換制御プログラムを提供する。【解決手段】本発明に係るデジタル移動通信システムは、移動端末の電話番号と、管理者移動端末の電話番号と、移動端末に着呼許可される通信端末の電話番号とが対応付けられて登録された管理ＤＢを備え、移動通信交換機は、通信端末が管理ＤＢに登録されているとき、着呼を前記移動端末へ接続し、通信端末が管理ＤＢに登録されていないとき、着呼を管理者移動端末へ接続する接続制御手段と、着呼を前記管理者移動端末へ接続した後、承認信号を取得する承認信号取得手段と、承認信号を取得したとき、通信端末の電話番号を、管理ＤＢに登録する登録手段とを有する。【選択図】図４
2010021936.tif 000002
【特許請求の範囲】
【請求項１】
移動端末と、前記移動端末を管理する管理者移動端末と、前記移動端末に着呼する通信端末と、呼の接続制御を行なう移動通信交換機とを含むデジタル移動通信システムであって、
前記移動端末の電話番号と、前記管理者移動端末の電話番号と、前記移動端末に着呼許可される通信端末の電話番号とが対応付けられて登録された管理ＤＢを備え、
前記移動通信交換機は、
前記通信端末が着呼許可される通信端末として前記管理ＤＢに登録されているとき、前記着呼を前記移動端末へ接続し、前記通信端末が着呼許可される通信端末として前記管理ＤＢに登録されていないとき、前記着呼を前記管理者移動端末へ接続する接続制御手段と、
前記接続制御手段により前記着呼を前記管理者移動端末へ接続した後、前記着呼の前記移動端末への接続承認を示す承認信号を取得する承認信号取得手段と、
前記承認信号取得手段により承認信号を取得したとき、前記移動端末に着呼許可される通信端末の電話番号として、前記通信端末の電話番号を、前記管理ＤＢに登録する登録手段とを有すること、
を特徴とするデジタル移動通信システム。
【請求項２】
前記接続制御手段は、前記着呼を前記管理者移動端末へ接続した後、前記承認信号取得手段により承認信号を取得したとき、前記着呼を前記移動端末へ接続すること、
を特徴とする請求項１に記載のデジタル移動通信システム。
【請求項３】
移動端末と、前記移動端末を管理する管理者移動端末と、前記移動端末にメッセージ送信を行う通信端末と、メッセージの転送制御を行なう移動通信交換機とを含むデジタル移動通信システムであって、
前記移動端末のアドレス識別子と、前記管理者移動端末のアドレス識別子と、前記移動端末にメッセージ送信を行う通信端末のアドレス番号とが対応付けられて登録された管理ＤＢを備え、
前記移動通信交換機は、
前記通信端末がメッセージ送信許可される通信端末として前記管理ＤＢに登録されているとき、前記メッセージを前記移動端末へ接続し、前記通信端末がメッセージ送信許可される通信端末として前記管理ＤＢに登録されていないとき、前記メッセージを前記管理者移動端末へ転送する転送制御手段と、
前記転送制御手段により前記メッセージを前記管理者移動端末へ転送した後、前記メッセージの前記移動端末への転送承認を示す承認信号を取得する承認信号取得手段と、
前記承認信号取得手段により承認信号を取得したとき、前記移動端末にメッセージ送信許可される通信端末の電話番号として、前記通信端末のアドレス識別子を、前記管理ＤＢに登録する登録手段とを有すること、
を特徴とするデジタル移動通信システム。
【請求項４】
前記転送制御手段は、前記メッセージを前記管理者移動端末へ転送した後、前記承認情報取得手段により承認情報を取得したとき、前記メッセージを前記移動端末へ転送すること、
を特徴とする請求項３に記載のデジタル移動通信システム。
【請求項５】
請求項１記載のデジタル移動通信システムと、請求項３記載のデジタル移動通信システムと、
を有することを特徴とするデジタル移動通信システム。
【請求項６】
移動端末の電話番号とアドレス識別子とを対応付けて登録された顧客ＤＢを有し、
請求項１記載の前記管理ＤＢに登録された電話番号と、請求項２記載の前記管理ＤＢに登録されたアドレス識別子とは、前記顧客ＤＢに登録された電話番号及びアドレス識別子に基づいて対応付けされ、
前記顧客ＤＢに登録された電話番号又はアドレス識別子の変更に伴って、請求項１記載の前記管理ＤＢに登録された電話番号又は請求項２記載の前記管理ＤＢに登録されたアドレス識別子は、変更されること、
を特徴とする請求項５に記載のデジタル移動通信システム。
【請求項７】
移動端末の電話番号と、前記移動端末を管理する管理者移動端末の電話番号と、前記移動端末に着呼許可される通信端末の電話番号とが対応付けられて登録された管理ＤＢを備え、
前記移動端末と、前記管理者移動端末と、前記移動端末に着呼する通信端末と、呼の接続制御を行なう移動通信交換機とを含むデジタル移動通信システムにおけるデジタル通信交換方法であって、
前記移動通信交換機が、
前記通信端末が着呼許可される通信端末として前記管理ＤＢに登録されているとき、前記着呼を前記移動端末へ接続し、前記通信端末が着呼許可される通信端末として前記管理ＤＢに登録されていないとき、前記着呼を前記管理者移動端末へ接続する接続制御工程と、
前記接続制御工程により前記着呼を前記管理者移動端末へ接続した後、前記着呼の前記移動端末への接続承認を示す承認信号を取得する承認信号取得工程と、
前記承認信号取得工程により承認信号を取得したとき、前記移動端末に着呼許可される通信端末の電話番号として、前記通信端末の電話番号を、前記管理ＤＢに登録する登録工程とを有すること、
を特徴とするデジタル通信交換方法。
【請求項８】
移動端末のアドレス識別子と、前記移動端末を管理する管理者移動端末のアドレス識別子と、前記移動端末にメッセージ送信を行う通信端末のアドレス番号とが対応付けられて登録された管理ＤＢを備え、
前記移動端末と、前記管理者移動端末と、前記移動端末にメッセージ送信を行う通信端末と、メッセージの転送制御を行なう移動通信交換機とを含むデジタル移動通信システムにおけるデジタル通信交換方法であって、
前記移動通信交換機が、
前記通信端末がメッセージ送信許可される通信端末として前記管理ＤＢに登録されているとき、前記メッセージを前記移動端末へ接続し、前記通信端末がメッセージ送信許可される通信端末として前記管理ＤＢに登録されていないとき、前記メッセージを前記管理者移動端末へ転送する転送制御工程と、
前記転送制御工程により前記メッセージを前記管理者移動端末へ転送した後、前記メッセージの前記移動端末への転送承認を示す承認信号を取得する承認信号取得工程と、
前記承認信号取得工程により承認信号を取得したとき、前記移動端末にメッセージ送信許可される通信端末の電話番号として、前記通信端末のアドレス識別子を、前記管理ＤＢに登録する登録工程とを有すること、
を特徴とするデジタル通信交換方法。
【請求項９】
請求項７又は８に記載のデジタル通信交換方法をコンピュータに実行させるための通信交換制御プログラム。
【発明の詳細な説明】
【技術分野】
【０００１】
本発明は、デジタル移動通信システム、デジタル通信交換方法、及び通信交換制御プログラムの分野に関する。
【背景技術】
【０００２】
近年、携帯電話に代表される移動端末は、めざましい普及を遂げている。その利用者は大人だけでなく、中学生や高校生はもちろんのこと、小学生までもが１人１台の携帯電話を所有していることも珍しくない。
【０００３】
また、小学生の場合には、むしろ親が進んで携帯電話を子供に持たせることも少なくない。いつでも子供と連絡が取れたり、学校や塾などにきちんと行っているかなど子供の現在地を確認できるため、子供を心配する親にとっては安心感につながる。
【０００４】
しかしながら、携帯電話は大変便利な通信ツールである反面、その使い方も問題となっている。例えば、子供がいわゆる有害サイトへアクセスしたり、さらにはサイト上で知り合った人物と面識を持って、何らかのトラブルに巻き込まれるニュースも聞かれる。
【０００５】
このような問題への対策として、子供の携帯電話に対し有害サイトへのアクセスに禁止や制限を行なったり、もしくは子供の携帯電話への着信を予め登録された電話番号に限定して許可するなどの対策も考えられる。例えば、特許文献１に記載される発明は、携帯端末上で送受信される電子メールや、閲覧されるＷｅｂサイトのコンテンツに、子供にとって有害な情報を遮断すると共に、保護者にその旨が自動的に通知するものである。
【特許文献１】特開２００７−２９３３９７号公報
【発明の開示】
【発明が解決しようとする課題】
【０００６】
しかしながら、従来からのアクセス制限方法や特許文献１に記載される発明は、どのようなサイトを有害とすべきかの定義や判断が難しくフィルタリング上の限界も否めない。また、携帯端末に対しての着信を限定するにしてもつど登録の変更（メンテナンス）などの手間がかかり操作性に乏しい。
【０００７】
本発明は上記の従来の問題点に鑑み提案されたものであり、その目的とするところは、移動端末通信に対する通信交換制御に関し、未承認相手からの通信を防止して、移動端末保持者の保護を可能とするデジタル移動通信システム、デジタル通信交換方法、及び通信交換制御プログラムを提供することにある。
【課題を解決するための手段】
【０００８】
上記の課題を解決するため、本発明にあっては、請求項１に記載されるように、移動端末と、前記移動端末を管理する管理者移動端末と、前記移動端末に着呼する通信端末と、呼の接続制御を行なう移動通信交換機とを含むデジタル移動通信システムであって、前記移動端末の電話番号と、前記管理者移動端末の電話番号と、前記移動端末に着呼許可される通信端末の電話番号とが対応付けられて登録された管理ＤＢを備え、前記移動通信交換機は、前記通信端末が着呼許可される通信端末として前記管理ＤＢに登録されているとき、前記着呼を前記移動端末へ接続し、前記通信端末が着呼許可される通信端末として前記管理ＤＢに登録されていないとき、前記着呼を前記管理者移動端末へ接続する接続制御手段と、前記接続制御手段により前記着呼を前記管理者移動端末へ接続した後、前記着呼の前記移動端末への接続承認を示す承認信号を取得する承認信号取得手段と、前記承認信号取得手段により承認信号を取得したとき、前記移動端末に着呼許可される通信端末の電話番号として、前記通信端末の電話番号を、前記管理ＤＢに登録する登録手段とを有することを要旨としている。
【０００９】
また、請求項２に記載されるように、請求項１に記載のデジタル移動通信システムにおいて、前記接続制御手段は、前記着呼を前記管理者移動端末へ接続した後、前記承認信号取得手段により承認信号を取得したとき、前記着呼を前記移動端末へ接続するようにすることができる。
【００１０】
また、上記の課題を解決するため、本発明にあっては、請求項３に記載されるように、移動端末と、前記移動端末を管理する管理者移動端末と、前記移動端末にメッセージ送信を行う通信端末と、メッセージの転送制御を行なう移動通信交換機とを含むデジタル移動通信システムであって、前記移動端末のアドレス識別子と、前記管理者移動端末のアドレス識別子と、前記移動端末にメッセージ送信を行う通信端末のアドレス番号とが対応付けられて登録された管理ＤＢを備え、前記移動通信交換機は、前記通信端末がメッセージ送信許可される通信端末として前記管理ＤＢに登録されているとき、前記メッセージを前記移動端末へ接続し、前記通信端末がメッセージ送信許可される通信端末として前記管理ＤＢに登録されていないとき、前記メッセージを前記管理者移動端末へ転送する転送制御手段と、前記転送制御手段により前記メッセージを前記管理者移動端末へ転送した後、前記メッセージの前記移動端末への転送承認を示す承認信号を取得する承認信号取得手段と、
前記承認信号取得手段により承認信号を取得したとき、前記移動端末にメッセージ送信許可される通信端末の電話番号として、前記通信端末のアドレス識別子を、前記管理ＤＢに登録する登録手段とを有することを要旨としている。
【００１１】
また、請求項４に記載されるように、請求項３に記載のデジタル移動通信システムにおいて、前記転送制御手段は、前記メッセージを前記管理者移動端末へ転送した後、前記承認情報取得手段により承認情報を取得したとき、前記メッセージを前記移動端末へ転送するようにすることができる。
【００１２】
また、上記の課題を解決するため、本発明にあっては、請求項５に記載されるように、請求項１記載のデジタル移動通信システムと、請求項３記載のデジタル移動通信システムとを有するようにすることができる。
【００１３】
また、請求項６に記載されるように、請求項５に記載のデジタル移動通信システムにおいて、移動端末の電話番号とアドレス識別子とを対応付けて登録された顧客ＤＢを有し、請求項１記載の前記管理ＤＢに登録された電話番号と、請求項２記載の前記管理ＤＢに登録されたアドレス識別子とは、前記顧客ＤＢに登録された電話番号及びアドレス識別子に基づいて対応付けされ、前記顧客ＤＢに登録された電話番号又はアドレス識別子の変更に伴って、請求項１記載の前記管理ＤＢに登録された電話番号又は請求項２記載の前記管理ＤＢに登録されたアドレス識別子は、変更されるようにすることができる。
【００１４】
なお、本発明の構成要素、表現または構成要素の任意の組合せを、方法、装置、システム、コンピュータプログラム、記録媒体、などに適用したものも本発明の態様として有効である。
【発明の効果】
【００１５】
本発明によれば、移動端末通信に対する通信交換制御に関し、未承認相手からの通信を防止して、移動端末保持者の保護を可能とするデジタル移動通信システム、デジタル通信交換方法、及び通信交換制御プログラムを提供することができる。
【発明を実施するための最良の形態】
【００１６】
以下、本発明を実施するための最良の形態を各実施形態において図面を用いて説明する。
【実施例１】
【００１７】
＜システム構成＞
（全体構成）
はじめに、本発明に係るデジタル移動通信システムを説明するにあたって、まず全体構成について触れておく。図１は、デジタル移動通信システム１００の全体構成の一例を示す図である。デジタル移動通信システム１００は、ホームメモリ局（移動通信サービス制御局Ｍ−ＳＣＰ：Mobile ServiceControl Point）１０１、移動通信交換局（ＭＳＣ：Mobile Switching Center）１０２、基地局１０３、移動端末１０４などから構成され、固定電話網１０７や他の移動通信網１０８と接続される。
【００１８】
ホームメモリ局１０１には、デジタル移動通信システム１００を利用する全てのユーザに係る情報が記憶（登録）されている。例えば、移動端末１０４から随時送信されてくる端末位置情報が、移動端末１０４の識別番号とともに記憶されている。この端末位置情報は、移動端末１０４に着信があったとき、移動端末１０４の位置するゾーン（属する基地局１０３）検索において参照される。また、移動端末１０４が行なった通話記録等が記憶されている。この通話記録は、通信料金の課金等に利用される。
【００１９】
移動通信交換局１０２は、本発明による移動通信交換機（基地局制御装置）を備える。この移動通信交換機は、通信路の確立や、開放、維持を図るため、基地局１０３との間で、発着呼制御、通信チャネルの割当て、通信回線の接続、切断及び維持の制御を行う。例えば、移動通信交換機は、移動端末１０４へ着呼（信号）があったとき、ホームメモリ局１０１に対して移動端末１０４の端末位置情報を問い合わせる。そして、移動端末１０４の位置する基地局１０３に対して、チャネル設定を行なって着呼転送制御を行なう。また、移動通信交換局１０２では、通信（通話）中の移動端末１０４が移動するとき、通信を継続できるよう移動通信交換局１０２間で移動端末１０４を追跡する（ハンドオーバ）。また、移動通信交換局（関門交換機）１０２は、固定電話網１０７や他の移動通信網１０８と接続されており、固定電話網や他の移動通信網との通話を含む通信を実現する。固定電話網や他の移動通信網を介して、移動端末１０４に着呼があった場合も同様で、移動通信交換局１０２は、ホームメモリ局１０１に対して移動端末１０４の端末位置情報（及び基地局１０３）を問い合わせ、端末の位置する基地局１０３に対して着呼転送制御を行なう。
【００２０】
基地局１０３は、無線基地局であって、例えば、移動端末１０５から移動端末１０４への発呼信号を受信して、呼の転送を行ない、移動通信交換局１０２に対して発呼信号を無線中継する。また、移動端末１０４の最寄りの基地局１０３は、移動通信交換局１０２から移動端末１０４への着呼信号を受信して、無線ゾーン圏内の移動端末に対して、一斉呼び出しチャネル（制御チャネル）を利用し、制御信号を無線送信する。移動端末１０４はこれに応答して、相手方通信端末である移動端末１０５との通信路（呼）を確立する。
【００２１】
移動端末１０４、移動端末１０５、移動端末１０６は、通話、ウェブサイトの閲覧、メール等が可能な無線移動端末である。例えば、携帯電話、ＰＨＳ（Personal Handyphone System）、ＰＤＡ（Personal Digital Assistants）、等の情報処理機器から構成される。
【００２２】
なお、移動端末１０４、移動端末１０５、移動端末１０６は、同一種別の移動端末でよい。但し、詳細は後述するが、各移動端末の利用主体が異なるので説明の都合上区別してある。例えば、移動端末１０４は、子供が所有する移動端末である。移動端末１０５は、第３者（未知の通話者）の所有する移動端末であり、移動端末１０４に対して着呼を行なう。移動端末１０６は、子供の保護者（親）が所有し、移動端末１０４を管理する管理者の移動端末である。
【００２３】
（ハードウェア）
ここで、本発明に係る移動通信交換機１のハードウェア構成について簡単に説明しておく。移動通信交換機１は、主要な構成として、図示はしないが、少なくともＣＰＵ（Central Processing Unit）、ＲＯＭ（Read Only Memory）、ＲＡＭ（Random Access Memory）、及び通信装置などを備える。
【００２４】
ＣＰＵは、呼処理制御プロセッサ及びその周辺回路から構成され、移動通信交換機１全体を制御する回路である。また、ＲＯＭは、ＣＰＵで実行される所定の制御プログラム（ソフトウェア部品）を格納するメモリであり、ＲＡＭは、ＣＰＵがＲＯＭに格納された所定の制御プログラム（ソフトウェア部品）を実行して各種の制御を行うときの作業エリア（ワーク領域）として使用するメモリである。通信装置は、ホームメモリ局１０１、移動通信交換局１０２、基地局１０３の他装置との通信を行う装置である。
【００２５】
なお、デジタル移動通信システム１００は、本発明の一実施形態を説明するにあたっての一構成例を示したものであり、移動通信交換機１は、内部の機能部やＤＢ（管理ＤＢ２０４）を異なる装置（サーバ）上に構築してしてもよい。
【００２６】
（機能）
図２は、本発明の実施例に係る移動通信交換機１の一実施形態の主要機能を示す機能ブロック図である。移動通信交換機１は、主要な機能として、接続制御部２０１、承認信号取得部２０２、登録部２０３、及び管理ＤＢ２０４を備える。
【００２７】
接続制御部２０１は、管理ＤＢ２０４において、移動端末１０５が移動端末１０４に対して着呼許可されている場合、移動端末１０５からの着呼を移動端末１０４へ接続する機能を有している。また、管理ＤＢ２０４において、移動端末１０５が移動端末１０４に対して着呼許可されていない場合、移動端末１０５の着呼を移動端末１０６へ接続する機能を有している。
【００２８】
承認信号取得部２０２は、接続制御部２０１により移動端末１０５からの着呼を移動端末１０６へ接続した後、移動端末１０６において、移動端末１０５から移動端末１０４への接続が承認なされると、その承認信号を受信して取得する機能を有している。
【００２９】
登録部２０３は、承認信号取得部２０２により承認信号を取得したとき、移動端末１０４に着呼許可される移動端末の電話番号として、移動端末１０６の電話番号を、管理ＤＢ２０４に登録する機能を有している。
【００３０】
管理ＤＢ２０４は、移動端末１０４の電話番号と、管理者の移動端末１０６の電話番号と、移動端末１０４に着呼許可される移動端末１０５の電話番号とが対応付けられて登録されたＤＢ（Data Base）であるが、詳しくは続いて説明する。
【００３１】
（管理ＤＢ）
次に、管理ＤＢ２０４について詳しく説明をしておく。図３は、管理ＤＢ２０４のデータ構造を示す模式図である。管理ＤＢ２０４はデータフィールドとして、「ＩＤ」、「管理対象者電話番号」、「管理者１電話番号」、「管理者２電話番号」、「有効管理者」、「承認電話番号」、「承認管理者」、「登録日時」などを有する。管理ＤＢ２０４は、移動端末１０４の電話番号と、管理者の移動端末１０６の電話番号と、移動端末１０４に着呼許可される移動端末１０５の電話番号とが対応付けられて登録されたＤＢである。本発明に係る移動通信交換機１は、移動端末１０５から移動端末１０４へ着呼があったとき、管理ＤＢ２０４を参照して、そのまま移動端末１０４へ接続するか、それとも移動端末１０６へ接続するかの接続制御を行なう。
【００３２】
「ＩＤ」は、「管理対象者電話番号」毎に付される管理上の固有識別子である。「管理対象者電話番号」は、移動端末１０４の電話番号に相当し、このフィールドには、着呼の際に管理者の承認が必要とされる移動端末の電話番号が登録される。例えば、保護される子供の携帯電話の電話番号である。
【００３３】
「管理者１電話番号」、「管理者２電話番号」は、移動端末１０６の電話番号に相当し、このフィールドには、移動端末１０４への着呼について承認を行なう管理者の移動端末の電話番号が登録される。「管理者１電話番号」、「管理者２電話番号」は、管理者を複数登録（２つのみに限定されない）できるよう設けられており、例えば、管理者１は、子供の親であり、管理者２は子供の学校の担任教師というように用いられるフィールドである。「有効管理者」は、現在管理者として有効な管理者が登録されるフィールドである。「１」の場合は、承認は管理者１によって行なわれ、「２」の場合には、承認は管理者２によって行なわれる。また、「１、２」の場合は、まず管理者１によって承認のための呼が転送されるが、不在などの場合、次いで管理者２に対して承認のための呼が転送されるものとしてもよい。ここで管理者権限としては、管理者１、管理者２の順に強いものとする。「承認電話番号」が取消（削除）される場合には、管理者１は、管理者１が承認を行った承認電話番号はもちろんのこと、管理者２が承認を行った承認電話番号をも取消可能である。一方、管理者２は、管理者２が承認を行った承認電話番号は取消可能であるが、管理者１が承認を行った承認電話番号は取消できない。このように管理者を複数設けて、承認の柔軟な運用を可能としている。
【００３４】
「承認電話番号」は、管理者によって管理対象者の移動端末へ着呼が承認された移動端末の電話番号である。よって、一度承認されこのフィールドに登録された移動端末の電話番号は、以後管理者の承認なしに、管理対象者の移動端末に着呼することができる。
【００３５】
また、「承認管理者」は、「承認電話番号」を承認した管理者が登録され、「登録日時」は、「承認電話番号」が登録された日時が登録されるフィールドである。
【００３６】
以上、本発明の実施例に係るデジタル移動通信システム１００の構成全般について説明を行った。この構成において以下、移動通信交換機１の（処理）動作について具体的に説明を行う。なお、説明したこれらの各機能部は、実際にはＣＰＵが実行するプログラムにより実現されるものである。
【００３７】
＜動作＞
（概要）
本発明による移動通信交換機１の処理動作について説明する。流れを追って、順に説明していく。図４は、本発明に係るデジタル移動通信システム１００の利用される概要を説明する図の一例である。ここでは、上述したように、移動端末１０４は、子供が所有する移動端末であり、移動端末１０５は、第３者（未知の通話者）の所有する移動端末であり、移動端末１０４に対して着呼（発呼）を行なう。また、移動端末１０６は、子供の保護者（親）が所有し、移動端末１０４を管理する管理者の移動端末であるものとする。
【００３８】
ステップＳ４０１において、未知の通話者は、子供に対して電話をかける。ステップＳ４０２で、移動通信交換機１で保護者に対して、接続制御が行なわれる（管理ＤＢに登録なしとする）。ステップＳ４０３で、保護者に対して電話が転送（接続）される。そして、例えば、未知の通話者と保護者の間で直接通話（会話）がなされ、保護者は未知の通話者と子供との通話を承認するか否かの判断を行なう。承認する場合は、移動端末の所定の操作を行なう（例えば、操作ボタン「１」を押下）。
【００３９】
ステップＳ４０４で、承認信号が移動通信交換機１で受信されると、未知の通話者の移動端末１０５の電話番号を管理ＤＢ２０４に登録する。そして、ステップＳ４０５で、子供に対して着呼させ、ステップＳ４０６で、未知の通話者と子供との通話が行なわれる。
【００４０】
このようにして、未知の通話者からの電話（着信）の際は、一度保護者に電話が転送され、保護者が子供に対して通話を許可するかどうかの承認を行なった上で、未知の通話者と子供との通話が行なわれる。このような構成により、未承認相手からの着信を防止して移動端末保持者を保護することができるものである。次いで、フローチャートを参照して詳しく説明する。
【００４１】
（処理動作）
図５は、本発明による移動通信交換機１の呼接続制御処理を示すフローチャートである。以下、説明を行う。
【００４２】
ステップＳ５０１において、移動端末１０５は、第３者（未知の通話者）の所有する移動端末であり、移動端末１０４に対して着呼（発呼）を行なう。
【００４３】
ステップＳ５０２で、接続制御部２０１は、管理ＤＢ２０４を参照して、着呼先が本発明に係る呼接続制御を行なう対象の電話番号であるか否かを判定する。具体的には、管理ＤＢ２０４の「管理対象者電話番号」での登録の有無で判定する。登録があれば、ステップＳ５０３に進む。一方、登録がなければ、ステップＳ５０８に進み、接続制御部２０１は、そのまま移動端末１０４に対して呼を転送する（通話成立）。
【００４４】
ステップＳ５０３で、接続制御部２０１は、管理ＤＢ２０４を参照して、着呼元が移動端末１０４に対して、着呼許可（承認）された電話番号（発信元電話番号）であるか否かを判定する。具体的には、管理ＤＢ２０４の「承認電話番号」での登録の有無で判定する。登録があれば、ステップＳ５０８に進み、接続制御部２０１は、そのまま移動端末１０４に対して呼を接続する（通話成立）。一方、登録がなければ、ステップＳ５０４に進む。
【００４５】
ステップＳ５０４で、接続制御部２０１は、管理ＤＢ２０４を参照して、「管理者１電話番号」に移動端末１０５からの呼を接続する。具体的には、子供の保護者（親）が所有し、移動端末１０４を管理する管理者の移動端末１０６に接続される。なお、接続（承認）先として、管理ＤＢ２０４の「有効管理者」フィールドが参照され、「管理者１電話番号」又は「管理者２電話番号」のいずれの管理者に承認されるか設定されている。例えば、管理者１は、子供の親であり、管理者２は子供の学校の担任教師でもよい。また、管理者１は、所属部長であり、管理者２は直近の上司などでもよい。
【００４６】
ステップＳ５０５で、承認信号取得部２０２は、承認手段の提供を行なう。例えば、「承認をご希望の方からのお電話を転送します。これから通話が開始されます。承認するには通話中に操作ボタン「１」を、承認しない場合には「２」を押して下さい。「１」を押した場合は、管理対象者に通話が転送されます。「２」を押した場合は、そのまま通話が切断されます。」といった音声案内を流し管理者に承認操作を促す。管理者は、指示に従い所定の操作を行なう。なお、ここで管理者（例えば、保護者）は、第３者（未知の通話者）と直接通話を行うことができるので、通話の中で管理対象者（例えば、子供）との通話を承認すべきかどうかを判断することができる。このようにして、高い確度で未知の通話者（相手）からの着呼を防止し管理対象者の保護が可能となる。
【００４７】
ステップＳ５０６で、承認信号取得部２０２は、管理者の所定の操作により承認信号（又は非承認信号）を取得する。ここで、非承認信号を取得した場合は、通話は承認されないため、ステップＳ５０９で呼は切断される。一方、承認信号を取得した場合は、ステップ５０７に進む。また、ステップＳ５０５、５０６の通信については再度後述する。
【００４８】
ステップＳ５０７で、登録部２０３は、移動端末１０４に着呼許可される移動端末の電話番号として、移動端末１０６の電話番号を、管理ＤＢ２０４の「承認電話番号」フィールドに登録する。また、「承認管理者」フィールドについても、承認した管理者が登録される。移動端末１０６は、管理ＤＢ２０４に登録されている限り、以降承認動作なしで移動端末１０４に対して着呼できる。
【００４９】
ステップＳ５０８で、接続制御部２０１は、移動端末１０５から移動端末１０４へ呼を接続する。具体的には、第３者（未知の通話者）から、子供に対して着呼がなされ、通話が行なわれる。なお、ここで管理ＤＢ２０４に登録（ステップＳ５０７）されてから、移動端末１０５からの呼を切断する構成とすることもできる。切断の際には、「承認されました。一旦切断されますので、再度おかけ直し下さい。次回以降は、直接通話できます。」等の音声アナウンスを提供する。移動端末１０６の電話番号は、移動端末１０４に着呼許可される移動端末の電話番号として管理ＤＢ２０４に登録されているので、以降承認なしで通話が可能である。
【００５０】
（呼シーケンス）
次に、デジタル移動通信システム１００における呼のフローについて説明を行なう。図６は、呼のフローを説明するシーケンス図である。
【００５１】
ステップＳ６０１において、移動端末１０５は、移動端末１０４に対して着呼（発呼）を行なう。
【００５２】
ステップＳ６０２で、接続制御部２０１は、管理ＤＢ２０４を参照して、着呼先が本発明に係る呼接続制御を行なう対象の電話番号であるか否かを判定する。ここでは登録がないものとする。
【００５３】
ステップＳ６０３で、承認信号取得部２０２は、移動端末１０４に対して（ホームメモリ局１０１から移動端末１０４の位置情報が取得されて）、承認信号取得に係る制御フレームを送信（発呼）する。制御フレームは、上述した音声アナウンス（承認のため電話転送の旨）が付されるとともに、移送端末１０６側の所定の承認操作による承認フラグを含んだ応答フレームを要求するものである。移動端末１０５からの呼（トランザクションＩＤ）を管理して制御フレームとリンクさせておく。なお、制御フレーム送信（発呼）に続いて、移動端末１０５からの呼を接続する迄の間、一旦移動端末１０５からの着呼を受け、「只今、承認者に電話を転送中です。このままお待ち下さい。」等のアナウンスを流しておくとよい。
【００５４】
ステップＳ６０４で、接続制御部２０１は、制御フレーム送信（発呼）に続いて、移動端末１０５からの呼を接続する（通話成立）。
【００５５】
ステップＳ６０５で、上述した音声アナウンスに促され、移送端末１０６側の所定の承認操作がなされ、承認又は非承認を示す承認フラグを含んだ応答フレームが応答される。また、所定の承認操作がなされると同時に、移動端末１０５からの呼を保留する。
【００５６】
ステップＳ６０６で、承認信号取得部２０２は、承認フラグを参照して、承認を示すものであれば、登録部２０３は、移動端末１０４に着呼許可される移動端末の電話番号として、移動端末１０５の電話番号を管理ＤＢ２０４に登録する。一方、非承認を示すものであれば、管理ＤＢ２０４に登録されない。
【００５７】
ステップＳ６０７で、接続制御部２０１は、承認フラグが承認を示すものであれば（管理ＤＢ２０４に登録に登録されていれば）、接続制御部２０１は、移動端末１０４へ保留中の呼を接続する。一方、承認フラグが非承認を示すものであれば（管理ＤＢ２０４に登録に登録されていなければ）、接続制御部２０１は、移動端末１０４へ保留中の呼を切断する。
【００５８】
以上、本発明による移動通信交換機１によれば、未承認の通話者からの電話（着信）の際は、一度管理者に電話が転送され、管理者が管理対象者に対して通話を許可するかどうかの承認を行なった上で、当該通話者と管理対象者との通話が行なわれる。このような構成により、例えば、未承認相手からの着信を防止して、移動端末保持する子供を保護することができる。また、用途として、業務上機密に係る通話を行う場合、未承認相手からの着信を防止して、承認された相手（関係者）からのみ移動端末保持する者との通話を可能とし、業務機密を保護することができる。
【実施例２】
【００５９】
次に、本発明による移動通信交換機１をデジタル移動パケット通信網に適用した実施例について説明を行う。本実施例のデジタル移動パケット通信網は、上述した呼に代わって、メール（Ｅメール含む）やメッセージが扱われるが、以下の説明においては、本発明をメールに適用した例を用いて説明する。また、前述した実施例に共通、類似する点については、随時説明を簡略又は省略することがある。
【００６０】
（全体構成）
本発明に係るデジタル移動パケット通信交換機を説明するにあたって、全体構成について触れておく。図７は、デジタル移動パケット通信システム２００の全体構成の一例を示す図である。デジタル移動パケット通信システム２００は、ホームメモリ局１０１、移動通信交換局１１２、基地局１０３、移動端末１０４、ＰＣ（Personal Computer）１１０などから構成され、インターネット網１０９や他の移動（パケット）通信網１０８と接続される。本実施例では、移動通信交換局１１２、ＰＣ（Personal Computer）１１０についてのみ説明し、それ以外は上述した通りであるので説明を省略する。
【００６１】
移動通信交換局１１２は、ゲートウェイサーバ（メールサーバ）や、本発明による移動通信交換機（基地局制御装置）を備える。ゲートウェイサーバは、移動パケット関門交換機として設けられたコンピュータシステムであり、インターネット網１０９と、移動パケット通信システム２００とを相互接続する。また、インターネット網１０９からメールを中継するメールサーバとして機能する。例えば、ＰＣ１１０から移動端末１０４に対してメール送信されると、ゲートウェイサーバは、そのメールは自身が管理するドメイン（領域）宛てのメールであると判断し、本発明による移動通信交換機にメールを転送する。
【００６２】
本発明による移動通信交換機は、基地局１０３及びメールゲートウェイとの間で、メール等によるパケットの転送制御を行なう。例えば、移動通信交換機は、移動端末１０４へメールがあったとき、ホームメモリ局１０１に移動端末１０４の端末位置情報を問い合わせる。そして、端末の位置する基地局１０３に対して、メール転送を行なう。また、移動通信交換局１１２では、通信（通話）中の移動端末１０４が移動するとき、通信を継続できるよう移動通信交換局１０２間で移動端末１０４を追跡することは上述した通りである。
【００６３】
ＰＣ１１０は、インターネット網１０９と接続され、パーソナルコンピュータ、ＰＤＡ等の情報処理機器から構成される。
【００６４】
（機能）
図８は、本発明の実施例に係る移動通信交換機２の一実施形態の主要機能を示す機能ブロック図である。移動通信交換機２は、主要な機能として、転送制御部２１１、承認情報取得部２１２、登録部２１３、及び管理ＤＢ２１４を備える。
【００６５】
転送制御部２１１は、管理ＤＢ２１４において、移動端末１０５が移動端末１０４に対してメール送信許可されている場合、移動端末１０５のメールを移動端末１０４へ転送する機能を有している。また、管理ＤＢ２１４において、移動端末１０５が移動端末１０４に対してメール送信許可されていない場合、移動端末１０５のメールを移動端末１０６へ転送する機能を有している。
【００６６】
承認情報取得部２１２は、転送制御部２１１により移動端末１０５のメールを移動端末１０６へ転送した後、移動端末１０６において、移動端末１０５から移動端末１０４へのメール転送が承認されると、その承認情報を取得する機能を有している。
【００６７】
登録部２１３は、承認情報取得部２１２により承認情報を取得したとき、移動端末１０４にメール送信許可される移動端末のメールアドレスとして、移動端末１０５のメールアドレスを、管理ＤＢ２１４に登録する機能を有している。
【００６８】
管理ＤＢ２１４は、移動端末１０４のメールアドレスと、管理者の移動端末１０６のメールアドレスと、移動端末１０４にメール送信許可される移動端末１０５のメールアドレスとが対応付けられて登録されたＤＢである。
【００６９】
（管理ＤＢ）
図９は、管理ＤＢ２１４のデータ構造を示す模式図である。管理ＤＢ２１４は、データフィールドとして、「管理対象者メールアドレス」、「管理者１メールアドレス」、「管理者２メールアドレス」、「メールアドレス」を有する。以下、簡単に説明する。
【００７０】
「管理対象者メールアドレス」は、移動端末１０４のメールアドレスに相当し、このフィールドには、このアドレスに対してメール送信の際に管理者の承認が必要とされる移動端末のメールアドレスが登録される。例えば、保護される子供の携帯電話のメールアドレスである。
【００７１】
「管理者１メールアドレス」、「管理者２メールアドレス」は、移動端末１０６のメールアドレスに相当し、このフィールドには、移動端末１０４へのメール送信について承認を行なう管理者の移動端末のメールアドレスが登録される。
【００７２】
「承認メールアドレス」は、管理者によって管理対象者の移動端末へメール送信が承認された移動端末のメールアドレスである。よって、承認されこのフィールドに登録されている移動端末のメールアドレスは、以後管理者の承認なしに、管理対象者の移動端末にメール送信することができる。
【００７３】
＜動作＞
本発明による移動通信交換機２の処理動作について説明する。処理動作については、上述の実施例と大枠で同様であるため、簡略な説明に留める。図１０は、本発明に係るデジタル移動通信システム２００の利用される概要を説明する図の一例である。ここでは、上述したように、移動端末１０４は、子供が所有する移動端末であり、移動端末１０５は、第３者（未知のメール送信者）の所有する移動端末であり、移動端末１０４に対してメール送信を行なう。また、移動端末１０６は、子供の保護者（親）が所有し、移動端末１０４を管理する管理者の移動端末であるものとする。
【００７４】
ステップＳ１００１において、未知のメール送信者は、子供に対してメール送信を行なう。ステップＳ１００２で、移動通信交換機２で保護者に対して、メールの転送制御が行なわれる（管理ＤＢに登録なしとする）。ステップＳ１００３で、保護者に対してメールが転送される。そして、保護者は未知のメール送信者から子供に対してメール送信を承認するか否かの判断を行なう。
【００７５】
ステップＳ１００４で、承認情報が移動通信交換機２で受信されると、未知のメール送信者の移動端末１０５のメールアドレスを管理ＤＢ２１４に登録する。そして、ステップＳ１００５で、子供に対してメール送信される。このようにして、未知のメール送信者からのメール送信の際は、一度保護者にメールが転送され、保護者が子供に対してメール送信者を許可するかどうかの承認を行なった上で、未知のメール送信者からのメールが子供へ送信される。このような構成により、未承認相手からのメール送信を防止して移動端末保持者を保護することができるものである。
【００７６】
（転送シーケンス）
次に、デジタル移動パケット通信システム２００におけるメール転送のフローについて説明を行なう。図１１は、メール転送のフローを説明するシーケンス図である。
【００７７】
ステップＳ１１０１において、移動端末１０５は、移動端末１０４に対してメール送信を行なう。
【００７８】
ステップＳ１１０２で、転送制御部２１１は、管理ＤＢ２１４を参照して、メール送信先が本発明に係る転送制御を行なう対象のメールアドレスであるか否かを判定する。ここでは登録がないものとする。
【００７９】
ステップＳ１１０３で、承認情報取得部２１２は、移動端末１０４に対して（ホームメモリ局１０１から移動端末１０４の位置情報が取得されて）、承認情報取得に係るメールを送信する。図１２は、承認情報取得に係るメールの一例を示す。例えば、管理者（保護者）に、未承認のメールアドレス（未知のメール送信者）から管理対象者メールアドレス（子供）宛にメールが送信された旨、承認操作を促す案内文、及び移動端末１０５から送信されたメール本文を含む。管理者（保護者）は、これを承認する場合「承認」、承認しない場合は「非承認」、今回のみ承認する場合は「今回のみ承認」の承認操作を行なう。なお、承認情報取得に係るメールには、各承認操作に対応する承認（又は非承認）フラグを移動通信交換機２に対して送信するためのタグ（例えば、承認や非承認の各選択肢に対応するボタンやハイパーリンクを表すタグなど）が埋め込まれている。
【００８０】
ステップＳ１１０４で、承認操作により承認（又は非承認）フラグが、移動通信交換機２に対して送信され、承認情報取得部２１２は、これを取得する。なお、管理者（保護者）の移動端末１０６から承認（又は非承認）フラグが送信されるまで、転送制御部２１１は、移動端末１０５から送信されたメールを保持しておく。
【００８１】
ステップＳ１１０５で、承認信号取得部２１２は、フラグを参照して、承認を示すものであれば、登録部２１３は、移動端末１０４にメール送信許可される移動端末のメールアドレスとして、移動端末１０５のメールアドレスを管理ＤＢ２１４に登録する。一方、非承認を示すものであれば、管理ＤＢ２１４に登録されない。また、今回のみ承認を示すものについても、管理ＤＢ２１４に登録されない。
【００８２】
ステップＳ１１０６で、フラグが承認を示すものであれば（管理ＤＢ２１４に登録に登録されていれば）、転送制御部２１１は、移動端末１０４へ保持中のメールを転送する。一方、フラグが非承認を示すものであれば（管理ＤＢ２１４に登録に登録されていなければ）、当該メールを破棄する。さらに移動端末１０５に対して、非承認の旨を案内（説明）するメールを生成して送信すれば好適である。
【００８３】
以上、本発明による移動通信交換機２によれば、未承認のメール送信者からのメール送信の際は、一度管理者にメールが転送され、管理者が管理対象者に対してメール送信を許可するかどうかの承認を行なった上で、当該メール送信者から管理対象者へのメール送信が可能となる。このような構成により、例えば、未承認相手からのメール送信を防止して、移動端末保持する子供を保護することができる。また、用途として、業務上機密に係るメールを行う場合、未承認相手からのメール送信を防止して、承認された相手（関係者）からのみ移動端末保持する者へのメール送信を可能にし、業務機密を保護することができる。
【実施例３】
【００８４】
本実施例は、これまでの実施例を組合せた実施例である。即ち、実施例１において「呼」を扱い、実施例２において「メール」を扱った。そこで本実施例による移動通信交換機３は、この両方を扱う構成を有する。詳細は既に説明しているので、ここでは、本発明による移動通信交換機３の機能及び管理ＤＢについてのみ簡単に説明を行う。
【００８５】
図１３は、本発明の実施例に係る移動通信交換機３の一実施形態の主要機能を示す機能ブロック図である。移動通信交換機３は、主要な機能として、接続制御部２０１、承認信号取得部２０２、転送制御部２１１、承認情報取得部２１２、登録部２２３、及び管理ＤＢ２２４を備える。図中の顧客ＤＢ２３０については後述する。各機能部の詳細は上述したとおりであるので説明を省略する。
【００８６】
図１４は、管理ＤＢ２２４のデータ構造を示す模式図である。管理ＤＢ２２４は、管理ＤＢ２０４及び管理ＤＢ２１４のデータフィールドを１のＤＢに格納したデータ構造を有する。
【００８７】
ここで、本実施例によるデジタル移動通信システムにおいては、構成上、顧客ＤＢ２３０を有する。顧客ＤＢ２３０は、ユーザの顧客、契約情報、課金（支払）情報、電話番号、メールアドレスなどが移動端末に係る情報が集中的に管理されたＤＢである。よって、顧客ＤＢ２３０と、管理ＤＢ２２４とのデータを連携させることで、管理ＤＢ２２４のデータフィールド「承認電話番号」と「承認メールアドレス」との対応付け（リンク付け）ができる。これを利用し、管理者によって電話番号が承認されれば、併せてメールアドレスも承認されたものとして扱う。この逆も同様に承認できる。
【００８８】
また、メールアドレスは頻繁に変更される場合が多い。そこで、メールアドレス変更情報は顧客ＤＢ２３０が有するので、顧客ＤＢ２３０と、管理ＤＢ２２４とのデータを連携することにより、一度承認されたメールアドレスであれば、変更後のメールアドレスもそのまま承認されたものとして扱うことにより、メールアドレス変更後再度の承認といった手間を軽減することができる。
【００８９】
＜総括＞
これまで説明したように、本発明による移動通信交換機は、未承認相手から管理対象の移動端末に対して通信を受けた際、一度その管理者に通信が転送され、管理者が管理対象者に対して通信を許可するかどうかの承認を行なった上で、当該相手と管理対象者との通信が行なわれる。このような構成により、例えば、未承認相手からの通信を防止して、移動端末保持する子供を保護することができる。また、用途として、業務上機密に係る通信を行う場合、未承認相手からの通信を防止して、業務機密を保護することができる。
【００９０】
以上、本発明によれば、移動端末通信に対する通信交換制御に関し、未承認相手からの通信を防止して、移動端末保持者の保護を可能とするデジタル移動通信システム、デジタル通信交換方法、及び通信交換制御プログラムを提供することが可能となる。
【００９１】
なお、本発明の好適な実施の形態、特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００９２】
【図１】デジタル移動通信システム１００の全体構成の一例を示す図である。
【図２】本発明の実施例に係る移動通信交換機１の一実施形態の主要機能を示す機能ブロック図である。
【図３】管理ＤＢ２０４のデータ構造を示す模式図である。
【図４】本発明に係るデジタル移動通信システム１００の利用される概要を説明する図の一例である。
【図５】本発明による移動通信交換機１の呼接続制御処理を示すフローチャートである。
【図６】呼のフローを説明するシーケンス図である。
【図７】デジタル移動パケット通信システム２００の全体構成の一例を示す図である。
【図８】本発明の実施例に係る移動通信交換機２の一実施形態の主要機能を示す機能ブロック図である。
【図９】管理ＤＢ２２４のデータ構造を示す模式図である。
【図１０】本発明に係るデジタル移動通信システム２００の利用される概要を説明する図の一例である。
【図１１】メール転送のフローを説明するシーケンス図である。
【図１２】承認情報取得に係るメールの一例を示す。
【図１３】本発明の実施例に係る移動通信交換機３の一実施形態の主要機能を示す機能ブロック図である。
【図１４】管理ＤＢ２２４のデータ構造を示す模式図である。
【符号の説明】
【００９３】
１          移動通信交換機
２          移動通信交換機
３          移動通信交換機
１０１      ホームメモリ局
１０２      移動通信交換局
１０３      基地局
１０４      移動端末
１０５      移動端末
１０６      移動端末
１０７      固定電話網
１０８      他の移動通信網
１０９      インターネット網
１１０      ＰＣ
２０１      接続制御部
２０２      承認信号取得部
２０３      登録部
２０４      管理ＤＢ
２１１      転送制御部
２１２      承認情報取得部
２１３      登録部
２１４      管理ＤＢ
２２３      登録部
２２４      管理ＤＢ
２３０      顧客ＤＢ
【図１】
2010021936.tif 000003
【図２】
2010021936.tif 000004
【図３】
2010021936.tif 000005
【図４】
2010021936.tif 000006
【図５】
2010021936.tif 000007
【図６】
2010021936.tif 000008
【図７】
2010021936.tif 000009
【図８】
2010021936.tif 000010
【図９】
2010021936.tif 000011
【図１０】
2010021936.tif 000012
【図１１】
2010021936.tif 000013
【図１２】
2010021936.tif 000014
【図１３】
2010021936.tif 000015
【図１４】
2010021936.tif 000016